(57)【要約】【課題】パイプ製組立棚を配置替えなどのために動かす必要が生じた場合、パイプ製組立棚を傾けることなくベース部と床面との貼着部を簡単に剥すことができるようにしたパイプ製組立棚の耐震装置を提供する。【解決手段】上部前面にパイプ固定具２を備え、下部に上下方向に向く互いに平行な貫通溝３ａ，３ｃが左右に形成された金属製の可動板１と、この可動板１の下部背面に重なる立ち上がり板部５と、この立ち上がり板部５の下端に前面側に折れ曲がって一体に繋がる水平板部６とからなる金属製のＬ型のベース部４とを備え、このベース部４の立ち上がり板部５の前面における上端近傍には左右に位置する貫通溝３ａ，３ｃを上下方向に摺動するように貫通溝３ａ，３ｃを前後に貫通する軸部７ａと、締め付け用の頭部７ｂを備えた締め付けねじ７が螺入して取り付けられており、前記ベース部４の水平板部６の裏面には粘着シート１０が装着されている。【選択図】図５
2010110338.tif 000002
【特許請求の範囲】
【請求項１】
パイプ製組立棚の隣り合う支柱部材の下端近傍間を繋ぐ水平な梁部材に結合される耐震装置であって、上部前面にパイプ固定具を備え、下部に上下方向に向く互いに平行な貫通溝が左右に形成された金属製の可動板と、前記可動板の下部背面に重なる立ち上がり板部と、この立ち上がり板部の下端に前面側に折れ曲がって一体に繋がる水平板部とからなる金属製のＬ型のベース部とを備え、このベース部の立ち上がり板部の前面における上端近傍には前記左右に位置する貫通溝を上下方向に摺動するように貫通溝を前後に貫通する軸部と、締め付け用の頭部を備えた締め付けねじが螺入して取り付けられており、前記ベース部の水平板部の裏面には粘着シートが装着されていることを特徴とするパイプ製組立棚の耐震装置。
【発明の詳細な説明】
【技術分野】
【０００１】
本発明は、パイプを材料に組み立てて作られるパイプ製組立棚の耐震装置に関するものである。
【背景技術】
【０００２】
従来のこの種パイプ製組立棚の耐震装置としては、パイプ製組立棚の下端近傍の水平方向に向く水平部分を掴むように水平部分に固定される固定具と、この固定具を上端で結合させるＬ型の可動金具と、この可動金具の下端の水平板部に形成された雌ねじ孔に下方より螺入する雄ねじ軸を上向きに突設した下端のベース部と、このベース部の裏面に貼り付けられた粘着シートとからなるものが知られている。
【０００３】
そして、この耐震装置にあっては、前記水平部と床面との間の間隔に合うように前記ベース部と一体に雄ねじ軸を回してベース部と固定具との間の間隔を調整できるようになっており、調整後、粘着シートを床面に貼り付けることにより床面に対するパイプ製組立棚の固定がなされ、地震によるパイプ製組立棚の倒れを防止しようとするものである。なお、一般的にパイプ製組立棚は平面形状が四角形であり、前記下端近傍の水平部分は周囲が４本のパイプで形成され、水平部分の各パイプに耐震装置を取り付けるか、対向する２辺のパイプに耐震装置を取り付けるなどするものである。
【発明の開示】
【発明が解決しようとする課題】
【０００４】
上記従来の耐震装置の構成では、パイプ製組立棚を配置移動などのために動かす必要が生じた場合、ベース部の裏面の粘着シートを床面から剥すのであるが、粘着シートを床面から剥し易くするためにベース部と固定部との間の間隔を狭めようとしてもベース部は床面に貼着されているので回すことができず、結局パイプ製組立棚を傾け複数箇所の耐震装置をコテなどを用いて１箇所づつ床面から剥さなければならないという問題があった。また、このときパイプ製組立棚を傾けなければならず、組立棚の上に載っている機器類などが組立棚から落下するという危険性もあった。
【０００５】
本発明の目的は、このような課題を解決するものであり、パイプ製組立棚を配置替えなどのために動かす必要が生じた場合、パイプ製組立棚を傾けることなくベース部と床面との貼着部を簡単に剥すことができるようにしたパイプ製組立棚の耐震装置を提供することにある。
【課題を解決するための手段】
【０００６】
本発明の請求項１に記載のパイプ製組立棚の耐震装置は、パイプ製組立棚の隣り合う支柱部材の下端近傍間を繋ぐ水平な梁部材に結合される耐震装置であって、上部前面にパイプ固定具を備え、下部に上下方向に向く互いに平行な貫通溝が左右に形成された金属製の可動板と、前記可動板の下部背面に重なる立ち上がり板部と、この立ち上がり板部の下端に前面側に折れ曲がって一体に繋がる水平板部とからなる金属製のＬ型のベース部とを備え、このベース部の立ち上がり板部の前面における上端近傍には前記左右に位置する貫通溝を上下方向に摺動するように貫通溝を前後に貫通する軸部と、締め付け用の頭部を備えた締め付けねじが螺入して取り付けられており、前記ベース部の水平板部の裏面には粘着シートが装着されていることを特徴とする。
【発明の効果】
【０００７】
以上のように、本発明のパイプ製組立棚の耐震装置は、パイプ製組立棚の梁部材に結合されて取り付けられ高さ調整された後、ベース部の水平板部の裏面に装着された粘着シートを床面に貼り付けることにより地震発生時のパイプ製組立棚の倒れ防止を行なうことができる。そして、粘着シートで床面に固定されているパイプ製組立棚を室内の配置替えなどにより移動させたい場合、締め付けねじを緩めることにより可動板とベース部との結合を解き、つまりベース部に作用するパイプ製組立棚や各種機器類などの荷重を解除させた状態にすることにより、ベース部の水平板部の裏面の粘着シートと床面との間にコテなどを差し込んで、粘着シートを床面から容易に剥すことができる。
【発明を実施するための最良の形態】
【０００８】
以下、本発明の一実施の形態を、図１〜図５を用いて具体的に説明する。
図において、１は上部前面にパイプ固定具２を備え、下部に上下方向に向く互いに平行な貫通溝３ａ〜３ｃが形成された金属製の可動板である。４は前記可動板１の下部背面に重なる立ち上がり板部５と、この立ち上がり板部５の下端に前面側に折れ曲がって一体に繋がる水平板部６とからなる金属製のＬ型のベース部で、このベース部４の立ち上がり板部５の前面における上端近傍には前記貫通溝３ａ〜３ｃの内、左右に位置する貫通溝３ａ，３ｃを上下方向に摺動するように貫通溝３ａ，３ｃを前後に貫通する軸部７ａと、この軸部７ａに嵌められたワッシャー８が可動板１の前面に圧接するように締め付ける頭部７ｂとを備えた２本の締め付けねじ７が取り付けられている。５ａは２本の締め付けねじ７の軸部７ａを螺入させるためにベース部４の立ち上がり板部５の上端近傍に形成された雌ねじ孔である。また、ベース部４の立ち上がり板部５の前面における上端近傍には２本の締め付けねじ７の間で前記貫通溝３ａ〜３ｃの内、中央に位置する貫通溝３ｂに嵌入するガイド軸９が前方に突出して設けられ、前記２本の締め付けねじ７を緩めて可動板１を上下動させるときガイド軸９が貫通溝３ｂに嵌入していることにより可動板１が僅かの傾きもなく安定した状態で可動板１を上下動させることができる。さらに、ベース部４の水平板部６の裏面には粘着シート１０が貼り付けられている。
【０００９】
ところで、前記パイプ固定具２は中央部が前方に円弧状に突出し可動板１の前面との間に水平方向に向くパイプ挿通孔１１を形成し上下両端が可動板１の前面に当接してワッシャー１２を介してビス１３止めされるように構成されて、可動板１の前面における左右に設けられる。
【００１０】
上記したパイプ固定具２を備えた可動板１とベース部４とからなる耐震装置１４が取り付けられるパイプ製組立棚は、その一例として図面に示すようにパイプ製組立棚の４箇所の上下方向に向く角部を形成するパイプ製の４本の支柱部材１５と、隣り合う支柱部材１５の上端間を繋ぐパイプ製の４本の水平な棚部材１６と、隣り合う支柱部材１５の下端近傍間を繋ぐパイプ製の４本の水平な梁部材１７とからなり、支柱部材１５と棚部材１６および支柱部材１５と梁部材１７とはジョイント部材１８および１９により結合されて、平面形状が四角形のパイプ製組立棚２０を構成している。なお、４本の支柱部材１５の下端にはキャスター２１が取り付けられ、パイプ製組立棚２０を移動させ得るように構成している。
【００１１】
上記した可動板１とベース部４とからなる耐震装置１４は前記パイプ製組立棚２０の梁部材１７に前面側がパイプ製組立棚２０の内側に向くように取り付けられる。図面に示す実施の形態では耐震装置１４は対向する２本の梁部材１７の長さ方向両端近傍に取り付けられている。パイプ製組立棚２０に対する耐震装置１４の取り付け作業手順については、先ず前記パイプ固定具２で梁部材１７を可動板１の前面との間で挟むように連結させる。次に、前記締め付けねじ７を緩めた状態で梁部材１７と床面との間の間隔に合うように可動板１に対しベース部４を動かす形でベース部４の水平板部６の裏面の粘着シート１０とパイプ固定具２との距離を調整し、締め付けねじ７を締め付ける。具体的には、キャスター２１が床面から僅かに浮いた状態となるようにベース部４の水平板部６の裏面の粘着シート１０をキャスター２１よりもやや下側に突出させた状態にしておく。この作業を全ての耐震装置１４について行ない、パイプ製組立棚２０の設置したい位置で最後は各耐震装置１４のベース部４の水平板部６の裏面の粘着シート１０から離型シートを剥し、粘着シート１０を床面に貼り付けることによりパイプ製組立棚２０の設置固定が完了する。なお、パイプ製組立棚２０の上端の４本の水平な棚部材１６上に受け板を介して各種機器類などが載せられるものである。
【００１２】
ところで、粘着シート１０で床面に固定されているパイプ製組立棚２０を室内の配置替えなどにより移動させたい場合、粘着シート１０を床面から剥さなければならない。そのとき、本実施の形態では前記締め付けねじ７を緩めることにより可動板１とベース部４との結合を解き、つまりベース部４に作用するパイプ製組立棚２０や各種機器類などの荷重を解除させ、かかる状態でベース部４の水平板部６の裏面の粘着シート１０と床面との間にコテなどを差し込み、粘着シート１０を床面から剥せば良い。
【００１３】
以上、図面に示す実施の形態について述べたが、パイプ製組立棚２０の構成は図面に示す実施の形態に限定されるものではない。また、図面に示す実施の形態では耐震装置１４は対向する２本の梁部材１６に取り付けられているが、４辺の梁部材１６に取り付けても良い。さらに、梁部材１６に対する耐震装置１４の取り付け位置も図面に示す実施の形態に限定されるものではない。
【図面の簡単な説明】
【００１４】
【図１】本発明の一実施の形態におけるパイプ製組立棚の耐震装置の分解斜視図である。
【図２】同耐震装置の組立斜視図である。
【図３】同パイプ製組立棚の斜視図である。
【図４】同耐震装置が取り付けられたパイプ製組立棚の全体斜視図である。
【図５】同パイプ製組立棚に対する耐震装置の取り付け部の要部拡大斜視図である。
【符号の説明】
【００１５】
１            可動板
２            パイプ固定具
３ａ〜３ｃ    貫通溝
４            ベース部
５            立ち上がり板部
５ａ          雌ねじ孔
６            水平板部
７            締め付けねじ
７ａ          軸部
７ｂ          頭部
８            ワッシャー
９            ガイド軸
１０            粘着シート
１１            パイプ挿通孔
１２            ワッシャー
１３            ビス
１４            耐震装置
１５            支柱部材
１６            棚部材
１７            梁部材
１８，１９      ジョイント部材
２０            パイプ製組立棚
２１            キャスター
【図１】
2010110338.tif 000003
【図２】
2010110338.tif 000004
【図３】
2010110338.tif 000005
【図４】
2010110338.tif 000006
【図５】
2010110338.tif 000007